(57)【要約】      （修正有）【課題】側板部とフック部材の固定が強い商品陳列装置を、また、長さが異なる商品収容本体部に変更されても、係止部がそのまま使用できる商品陳列装置を提供する。【解決手段】商品収容本体部と側板部２を備える陳列本体と、一端部が固定装置に係り止めされ他端部が側板部に係止するフック部材３を有し、側板部にフック部材３の鉛直部を固定する鉛直固定部が形成され、鉛直固定部は側板部の内面から内側に突出すると共に、前後方向に延びる上方壁４２と下方壁と、上方壁４２と下方壁の内側端から内側に突出すると共に、上方壁４２と下方壁間に差し渡しで形成される前方壁４４と後方壁４５と、前方壁４４と後方壁４５の略中間で前方壁４４と後方壁４５間に差し渡し状で形成される中間壁４６とを備え、上方壁４２の内側端４２１と下方壁４３の内側端４３１と中間壁４６の外側端４６１の３点でフック部材３の鉛直部３３を支持する商品陳列装置。【選択図】図７
2015134054.tif 000002
【特許請求の範囲】
【請求項１】
冷ケース等の固定装置に係り止めされる商品陳列装置であって、
陳列商品を収容する商品収容本体部と、該商品収容本体部の左右両側を区画する樹脂製の側板部と、を備える陳列本体と、
一端部が固定装置に係り止めされ、該一端部に連続する水平部と該水平部から屈曲して連続する鉛直部からなる他端部が該側板部に係止するフック部材と、を有し、
該側板部は、該フック部材の鉛直部を固定する鉛直固定部が形成され、
該鉛直固定部は、該側板部の内面から内側に突出すると共に、前後方向に延びる上方壁と下方壁と、
該上方壁の内側端と該下方壁の内側端から内側に突出すると共に、該上方壁と該下方壁間に差し渡しで形成される前方壁と後方壁と、
該前方壁と該後方壁の上下方向における略中間で、該前方壁と該後方壁間に差し渡しで、該上方壁及び該下方壁の内側端より内側に形成される中間壁と、を備え、
該上方壁の内側端と該下方壁の内側端と該中間壁の外側端の３点で該フック部材の鉛直部を支持することを特徴とする商品陳列装置。
【請求項２】
更に、該前方壁と該後方壁間で該フック部材を挟持することを特徴とする請求項１記載の商品陳列装置。
【請求項３】
該３点の支持端及び該前方壁と該後方壁間で形成される嵌合部を単位嵌合部とし、該単位嵌合部が前後方向に複数形成されることを特徴とする請求項１又は２記載の商品陳列装置。
【請求項４】
該上方壁の内側端と該下方壁の内側端は、該フック部材の鉛直部の形状に対応する凹状であることを特徴とする請求項１〜３のいずれか１項に記載の商品陳列装置。
【請求項５】
該中間壁の外側端は、該フック部材の鉛直部の形状に対応する凹状であることを特徴とする請求項１〜４のいずれか１項に記載の商品陳列装置。
【請求項６】
該鉛直固定部は、該側板部の上部に形成されることを特徴とする請求項１〜５のいずれか１項に記載の商品陳列装置。
【請求項７】
該水平部を嵌め込みにより固定する水平固定部を更に備えることを特徴とする請求項１〜６のいずれか１項に記載の商品陳列装置。
【発明の詳細な説明】
【技術分野】
【０００１】
本発明は、例えば、冷ケース等の固定装置に係り止めされるペットボトル等の商品の陳列に有効な商品陳列装置に関するものである。
【背景技術】
【０００２】
従来、図１７及び図１８に示すように、冷ケース１００に係り止めされ、冷ケース１００の外側で商品を陳列する商品陳列装置２００が知られている。このような商品陳列装置２００は、奥行き寸法は短く、横方向に長いものであり、冷ケース内に陳列された旬な惣菜と一緒に購入を促すものであり、例えばペットボトルなどの商品が陳列されている。
【０００３】
このような商品陳列装置２００としては、例えば、線材で形成された陳列商品を収容する商品収容本体部２０１と、線材で形成された左右を区画する側部２０２と、冷ケース１００に係り止めする線材で形成された係止部２０３を備えるものである。係止部２０３は、前後方向に延びる水平部材２０４を、側部２０２を構成する上部円筒管２０５に差し込み、螺子２０６で固定するものである（図１８参照）。係止部２０３と商品収容本体部２０１は、前後方向において長さ調整自在となっている。商品陳列装置２００において、このような前後方向に調整自在としたのは、冷ケース１００の係止位置と冷ケースの外周端間の距離寸法が一定ではなく、冷ケースの種類によって変化し、これに対応するためである。この商品陳列装置２００は、冷ケース１００周りでペットボトル等の冷ケース内陳列商品と関連する商品を陳列する装置として、好適なものである。
【先行技術文献】
【特許文献】
【０００４】
【非特許文献１】意匠登録１１９７６１３
【発明の概要】
【発明が解決しようとする課題】
【０００５】
しかしながら、従来の商品陳列装置は、商品収容本体部２０１と係止部２０３の固定手段がネジ止めであったため、長期間の使用において固定が緩むことがあった。また、横方向（長手方向）において、長さが異なる商品収容本体部２０１を別途、使用する場合、係止部２０３も商品収容本体部２０１の長さに応じて変更する必要があり、不便であった。
【０００６】
従って、本発明の目的は、側板部とフック部材の固定が強い商品陳列装置を、また、長さが異なる商品収容本体部に変更されても、係止部がそのまま使用できる商品陳列装置を提供することにある。
【課題を解決するための手段】
【０００７】
すなわち、本発明は上記課題を解決したものであって、冷ケース等の固定装置に係り止めされる商品陳列装置であって、陳列商品を収容する商品収容本体部と、該商品収容本体部の左右両側を区画する樹脂製の側板部と、を備える陳列本体と、一端部が固定装置に係り止めされ、該一端部に連続する水平部と該水平部から屈曲して連続する鉛直部からなる他端部が該側板部に係止するフック部材と、を有し、該側板部は、該フック部材の鉛直部を固定する鉛直固定部が形成され、該鉛直固定部は、該側板部の内面から内側に突出すると共に、前後方向に延びる上方壁と下方壁と、該上方壁の内側端と該下方壁の内側端から内側に突出すると共に、該上方壁と該下方壁間に差し渡しで形成される前方壁と後方壁と、該前方壁と該後方壁の上下方向における略中間で、該前方壁と該後方壁間に差し渡しで、該上方壁及び該下方壁の内側端より内側に形成される中間壁と、を備え、該上方壁の内側端と該下方壁の内側端と該中間壁の外側端の３点で該フック部材の鉛直部を支持する商品陳列装置を提供するものである。
【発明の効果】
【０００８】
本発明によれば、樹脂製の側板部に、フック部材の鉛直部を固定する特定の上方壁と下方壁及びこれら両壁の内側に、特定の前方壁と後方壁を有する鉛直固定部を形成したため、フック部材を鉛直固定部に３点支持により強く固定できる。また、強い固定であっても取り外しが容易である。また、フック部材は、左右一対で分離しているため、長さが異なる商品収容本体部に変更されても、フック部材はそのまま使用でき、便利である。
【図面の簡単な説明】
【０００９】
【図１】本発明の実施の形態における商品陳列装置の斜視図である。
【図２】図１の商品陳列装置の分解斜視図である。
【図３】（Ａ）が商品陳列装置の鉛直固定部の構造を説明するための模式図、（Ｂ）が（Ａ）の平面図である。
【図４】（Ａ）が商品陳列装置の他の鉛直固定部の構造を説明するための模式図、（Ｂ）が（Ａ）の平面図である。
【図５】図１の商品陳列装置の側板部の一部を省略した斜視図である。
【図６】図１の商品陳列装置の側板部を内側から外側に向けて見た一部の図である。
【図７】鉛直固定部にフック部材が係止した状態を示す斜視図である。
【図８】図６のＸ−Ｘ線に沿って見た図である。
【図９】図６のＹ−Ｙ線に沿って見た図である。
【図１０】図６のＺ−Ｚ線に沿って見た図である。
【図１１】鉛直固定部からフック部材を外す方法を説明する図である。
【図１２】図１１の断面図である。
【図１３】鉛直固定部からフック部材を外す方法を説明する他の図であり、図１１に続く工程である。
【図１４】図１３の断面図である。
【図１５】鉛直固定部からフック部材を外す方法を説明する他の図であり、図１３に続く工程である。
【図１６】図１５の断面図である。
【図１７】従来の商品陳列装置の斜視図である。
【図１８】従来の商品陳列装置の分解斜視図である。
【発明を実施するための形態】
【００１０】
本明細書中、特段の説明がない限り、左右方向、前後方向及び内側と外側は、使用状態における顧客側から見た方向を言う。図３は、一対の側板部２、２の中、右側の側板部を示すが、符号Ｃ側が「前方向」、符号Ｄ側が「後方向」、符号Ａ側が「外側又は右側方向」、符号Ｂ側が「内側又は左側方向」である。
【００１１】
本発明の実施の形態における商品陳列装置を図１〜図１６を参照して説明する。図１に示すように、商品陳列装置１０は、冷ケース等の固定装置１００に係り止めされて使用される。係り止めされる位置としては、上方開口の箱状冷ケースにおける前方壁（側板）の縁部の角が挙げられる。商品陳列装置１０は、商品収容本体部１と側板部２、２を有する陳列本体１Ａとフック部材３とを備える。商品収容本体部１は、陳列商品を収容する部分である。商品収容本体部１は、本例では、線材で底部１２、前部１３、後部１１、側部１４を形成する上面が開口の箱状であり、横方向に長いものである。これにより、例えば、ペットボトル等を一列に横方向に長く陳列することができる。側部１４の横部材１４１は側板部２、２の係止部５と係止することで、商品収容本体部１は側板部２、２に固定される。商品収容本体部１は、図１及び図２の形態に限定されず、例えば、板状の箱状体などであってもよい。
【００１２】
側板部２、２は、商品収容本体部１の左右両側を区画する樹脂製のものである。これにより、側板部２、２は一部がくり抜かれたリブ構造にできると共に、特定の壁構造である鉛直固定部４形成することができる。
【００１３】
鉛直固定部４は、フック部材３の鉛直部３３を固定する機能を奏する。鉛直固定部４の構造を、図３の模式図に基づいて説明する。図３（Ａ）に示すように、鉛直固定部４は、上方壁ａ１と下方壁ａ２、前方壁ｂ１と後方壁ｂ２及び中間壁ｃ１とからなる。上方壁ａ１と下方壁ａ２は、フック部材３の係止位置を側板部の裏面ｄより少し離すと共に、フック部材３を外す際、外し易いように、上方壁ａ１と下方壁ａ２間に空間部ができるようにしたものである。すなわち、上方壁ａ１と下方壁ａ２は、側板部ｄの内面から内側（矢印Ｂ方向）に突出すると共に、前後方向（符号Ｄ及びＣ方向）に延び、互いが上下に離間している。上方壁ａ１と下方壁ａ２は、同じ高さで同じ幅寸法である。上方壁ａ１の内側端ａ１２と下方壁ａ２の内側端ａ２２は、フック部材３を３点で支持する中の２点の支持を受け持つ。
【００１４】
なお、図３（Ａ）において、上方壁ａ１と下方壁ａ２の前後方向（符号Ｃ及びＤ方向）の端は、開口しているが、これに限定されず、開口を塞ぐような前後壁が形成されていてもよい。この場合、上方壁ａ１と下方壁ａ２及び前後壁で四方が囲まれた枠体形状を形成することになる。鉛直固定部３が、このような四角形の枠体を基部とするものであっても、上方壁ａ１と下方壁ａ２の場合と同様の効果を奏する。
【００１５】
前方壁ｂ１と後方壁ｂ２は、フック部材３の前後移動を規制する機能と、フック部材３を３点で支持する中の１点の支持を受け持つ中間壁ｃ１２を支持する機能を有する。すなわち、前方壁ｂ１と後方壁ｂ２は、上方壁ａ１の内側（矢印Ｂ方向）端ａ１２と下方壁ａ２の内側端ａ２２から内側（矢印Ｂ方向）に突出すると共に、上方壁ａ１と下方壁ａ２間に差し渡しで上下方向に延びるように形成される。前方壁ｂ１と後方壁ｂ２間は、フック部材３の外径と同じか若しくは極僅か大である。
【００１６】
中間壁ｃ１は、フック部材３を径方向において３点で支持する中の１点で支持を受け持つ機能を有する。すなわち、中間壁ｃ１は、前方壁ｂ１と後方壁ｂ２の上下方向における略中間で、前方壁ｂ１と後方壁ｂ２間に差し渡しで、上方壁ａ１と下方壁ａ２の内側端ａ１２、ａ２２より内側に形成される。略中間とは、中間を含むやや上方側又は下方側であってもよく、本例では中間位置よりやや下方である。中間壁ｃ１の外側端ｃ１２が、フック部材３を３点で支持する中の１点の支持を受け持つことになる。
【００１７】
フック部材３の鉛直部３３は、図３（Ｂ）に示すように、前方壁ｂ１と後方壁ｂ２間で挟持されると共に、上方壁ａ１の内側端ａ１２と下方壁ａ２の内側端ａ２２と中間壁ｃ１の外側端ｃ１２の３点で支持される。なお、前方壁ｂ１と後方壁ｂ２間で、フック部材３を強く挟む必要はなく、フック部材３が前後方向に移動しない程度の挟持でよい。一方、上方壁ａ１の内側端ａ１２（下方壁ａ２の内側端ａ２２）と中間壁ｃ１の外側端ｃ１２間の距離寸法は、フック部材３の外径と同じがよい。これにより強い３点支持が可能となる。
【００１８】
鉛直固定部４の構造の他の例を、図４の模式図に基づいて説明する。図４において、図３と同一構成要素には、同一符号を付して、その説明を省略し、異なる点について主に説明する。すなわち、図４において、図３と異なる点は、３点支持を受け持つ、上方壁の内側端ａ１２と、下方壁ａ２の内側端ａ２２と、中間壁ｃ１の外側端ｃ１２を、フック部材３の鉛直部３３の断面形状である円形に対応する凹状とした点である。図４の３点支持によれば、図３の３点支持よりも強い固定ができる。なお、凹形状は、円形状に限定されず、種々の凹形状であってもよい。
【００１９】
次に、本実施の形態例における側板部２の鉛直固定部４を、図５及び図６を参照して説明する。図５〜図１６は一対の側板部２、２の中、左側の側板部を示す。なお、図５及び図６の鉛直固定部４において、図４の鉛直固定部の模式図との対応関係は以下の通りである。側板部の裏面ｄと側板部の裏面２１が対応し、上方壁ａ１と上方壁４２が対応し、下方壁ａ２と下方壁４３が対応し、前方壁ｂ１と前方壁４４が対応し、後方壁ｂ２と後方壁４５が対応し、中間壁ｃ１と中間壁４６が対応し、内側端ａ１２と内側端４２１が対応し、内側端ａ２２と内側端４３１が対応し、中間壁の外側端ｃ１２と中間壁の外側端４６１が対応する。図５において、下方壁ａ２は見えないが、上方壁ａ１と同一形状、すなわち、上方壁ａ１と対称形状である。そして、平面視において、上方壁４２の内側端４２１と下方壁４３の内側端４３１と中間壁４６の外側端４６１で囲まれる略円形状のスペース４７に、フック部材３の鉛直部３３が通ることになる。なお、図５は、説明の都合上、鉛直固定部４以外の描写を省略してある。また、図５において、図３及び図４と異なる点は、上方壁４２と下方壁４３の前後端に、側板壁を形成し四方が囲まれた枠体形状とした点である。
【００２０】
図３及び図４の鉛直固定部４は、３点の支持端と前方壁ｂ１と後方壁ｂ２間で形成される嵌合部を有する単位嵌合部である。すなわち、本発明の鉛直固定部４はひとつの単位嵌合部を有していればよく、図５及び図６に示すように、複数の単位嵌合部４ａ、４ｂ、４ｃ・・が前後方向に形成されていてもよい。複数の単位嵌合部が前後方向に連続する場合、隣接する前方壁と後方壁は同じ部材とすればよい。すなわち、例えば、単位嵌合部の前方壁は、隣接する前方の単位嵌合部においては後方壁となる。鉛直固定部４が、複数の単位嵌合部を有するものであれば、フック部材３の固定位置を前後方向で変更することができ、冷ケースの係止位置と冷ケースの外周端間の距離寸法が一定ではない種々の冷ケースに対応できる。なお、図５及び図６に示す側板部２は、一体成型物であり、複数の嵌合部におけるそれぞれの壁は連続状であり、また、金型成型上の抜き部（貫通部）が存在する。また、鉛直固定部４は、側板部２の上部に形成されている。これにより、商品陳列装置１０の冷ケースへの固定が安定する。
【００２１】
側板部２には、水平固定部６が形成されている。水平固定部６は、フック部材３の水平部３２を支持する機能を有し、鉛直固定部４の上方で且つ後方寄り（冷ケース等の固定装置側）に形成される。水平固定部６の設置により、フック部材３と側板部２とは、更に強く固定される。水平固定部６は、板状の上部係止片６１と板状の下部係止片６２からなり、上部係止片６１と下部係止片６２で形成される内側の開口をフック部材３の外径よりやや小とすることで、フック部材３をバネ力に抗して嵌め込み、強い支持力を与えている。
【００２２】
フック部材３は、水平部３２と鉛直部３３を有するものであればよく、本例では、水平丸棒部材の一端側の所定位置で内角度が鋭角となるように屈曲させて固定装置側の係り止め部３１を形成し、他端側の所定位置で内角度が直角となるように屈曲させて鉛直固定部側の係り止め部３３を形成したものである。フック部材３を側板部２に固定するには、フック部材３の鉛直部３３の先端を、上方壁４２と中間壁４６の隙間から、鉛直部３３を傾斜姿勢としつつ挿入し、下方壁４３の内側端の近傍で停止し、次いで、鉛直部３３を鉛直姿勢として、鉛直部３３を上下方向の異なる３点で支持するように、スペース４７に嵌め込む。次いで、フック部材３を回動し、水平部３２を水平固定部６に嵌め込んで、固定を完了する。同様に、他方の側においても、側板部２とフック部材３とを接続する。
【００２３】
商品収容本体部１と側板部２の接続は、商品収容本体部１の側部１４の横部材１４１を、側板部２の係止部５に係止することで行なう。これにより、商品陳列装置１０が得られる（図１参照）。商品陳列装置１０は、例えば、冷ケース等の固定装置１００に係り止めされる。そして、商品収容本体部１には、ペットボトルなどの商品が陳列される。また、側板部２の外側面２４には、商品情報や広告などを記載したシールや紙体が貼付される。
【００２４】
次いで、商品陳列装置１０において、側板部２とフック部材３の接続を外す方法について図１１〜図１６を参照して説明する。側板部２とフック部材３の接続を外すのは、例えば、商品陳列装置１０を冷ケースに係り止めする際、前後方向の長さが合っていないため、鉛直固定部４におけるフック部材３の固定位置を変更する場合、横方向長さの異なる商品収容本体部１に交換したい場合等が挙げられる。
【００２５】
鉛直固定部４からフック部材３を取り外すには、先ず、フック部材３を回動させ、フック部材３の水平部３２を水平固定部６から取り外す。そして、水平部３２が側板部２の側面に対して直交する位置、すなわち、当初の固定位置から９０度回転させた位置とする（図１１及び図１２）。なお、図１２における鉛直固定部４とフック部材３の鉛直部３３の固定関係は、図７における固定状態における鉛直固定部４とフック部材３の固定関係と同じである。すなわち、図１１及び図１２の状態で、フック部材３は３点で支持されている。
【００２６】
次いで、フック部材３を上方に押し上げる。これにより、フック部材３を下方で支持する下方壁４３の内側端４３１とフック部材３との係止が外れる（図１３及び図１４参照）。次いで、フック部材３の固定装置側の一端を下方へ押し下げる。これにより、鉛直固定部４において、上方壁４２の内側端４２１とフック部材３との係止及び中間壁４６の外側端４６１とフック部材３の係止が解かれる。この理由は、中間壁４６の外側端４６１と側板部の裏面２１との距離（符号ｌ）を十分に大きく採ったため、フック部材３の鉛直部３３が鉛直固定部４内の左右方向（横方向）において回動可能となったためである（図１５及び図１６）。これにより、フック部材３と鉛直固定部４との３点支持は解除され、且つフック部材３を斜め上方に引き抜く障害がなくなり、フック部材３は軽く、鉛直固定部４から取り外すことができる。分離されたフック部材３と側板部２とは再度、適宜の嵌合部に嵌め込めばよい。再度の嵌め込みは、前記の最初の嵌め込むと同様である。
【００２７】
商品陳列装置１０において、フック部材３の鉛直部３３と鉛直固定部４の固定が、フック部材３の鉛直部３３の長さ方向の３点において、平面視においてジグザグの支持点であるため、強い固定ができる。また、前方壁４４と後方壁４５でフック部材３を挟んでいるため、フック部材３の前後移動が制限される。また、フック部材３の水平部３２は水平固定部６で固定されているため、フック部材３の水平部が回動するなど暴れることがない。このように、フック部材３は側板部２に強固に固定される。また、複数の単位嵌合部４ａ、４ｂ、４ｃ・・を備えるため、係止位置が前後方向に異なる冷ケースであっても対応できる。また、フック部材３は左右において、分離した別部材であるため、商品収容本体部１を長さが異なる別の商品収容本体部に変更しても、フック部材３及び側板部２はそのまま使用できる。
【００２８】
商品陳列装置１０は、上記実施の形態例に限定されず、種々の変形を採ることができる。すなわち、側板部２において、水平固定部は省略できる。水平固定部６を省略しても、フック部材３と鉛直固定部４との固定が強く、本発明の効果は維持できる。側板部２において、係止部５と商品収容本体部１との係止は、上記の係止以外に、例えば、凹部と凸部の嵌合であってもよい。
【産業上の利用可能性】
【００２９】
本発明によれば、側板部とフック部材を強く固定できる。このため、フック止めであるにも拘わらず、ペットボトル等の重量物でも安定した固定が実現できる。また、強い固定であっても取り外しが容易である。また、フック部材は、左右一対で分離しているため、長さが異なる商品収容本体部に変更されても、フック部材はそのまま使用でき、コストアップを抑制できる。
【符号の説明】
【００３０】
１    商品収容本体部
２    側板部
３    フック部材
４    鉛直固定部
４ａ〜４ｃ  単位嵌合部
５    係止部
６    水平固定部
１０    商品陳列装置
４２    上方壁
４３    下方壁
４４    前方壁
４５    後方壁
４６    中間壁
【図１】
2015134054.tif 000003
【図２】
2015134054.tif 000004
【図３】
2015134054.tif 000005
【図４】
2015134054.tif 000006
【図５】
2015134054.tif 000007
【図６】
2015134054.tif 000008
【図７】
2015134054.tif 000009
【図８】
2015134054.tif 000010
【図９】
2015134054.tif 000011
【図１０】
2015134054.tif 000012
【図１１】
2015134054.tif 000013
【図１２】
2015134054.tif 000014
【図１３】
2015134054.tif 000015
【図１４】
2015134054.tif 000016
【図１５】
2015134054.tif 000017
【図１６】
2015134054.tif 000018
【図１７】
2015134054.tif 000019
【図１８】
2015134054.tif 000020